(57)【特許請求の範囲】
【請求項１】
医療物品を収納する収納部と開閉自在の扉体と処理制御部とを有するラックと、該収納部の内壁に設けたアンテナと、表示手段とを備え、
該収納部に収納された各医療物品に管理ラベルを貼り付け、
該管理ラベルは医療物品の情報を記憶させてあり、該アンテナからの電波を受信することで、記憶されている情報を信号化して該アンテナに送信する非接触型ＩＤタグから構成されており、
該扉体は常時はセキュリティ状態にあり、該医療物品の出庫時に、医療物品が使用される患者情報と関連付けた認証により該セキュリティ状態が解除され、
該収納部の内壁に設けたアンテナは該収納部に収納された各医療物品の非接触型ＩＤタグから信号化された情報を受信可能となっており、
該扉体を開放して医療物品を出庫した後に、該扉体を閉鎖することで該収納部の内壁に設けたアンテナから電波が送信され、該アンテナを介して該収納部に収納されている医療物品の情報を読み取り、出庫前の医療物品情報と比較することで、出庫された物品が該表示手段にタッチパネルとして表示され、該タッチパネルをタッチして出庫された物品を一点ずつ確認し、患者情報に基づいて再認証することで出庫された医療物品の情報を患者情報と共に管理することを特徴とする医療物品管理ラックシステム。
【請求項２】
請求項１に記載の医療物品管理ラックシステムは、さらに、該ラックに搭載したラベル発行機と、該ラック前面に設けたアンテナとを備え、
該管理ラベルは、入庫処理に伴って該ラベル発行機より発行され、
該医療物品の出庫時のセキュリティ状態の解除は、患者情報を入力することで該ラベル発行機より発行される患者ＩＤラベルを介して行い、該患者ＩＤラベルは、患者情報を記憶させた非接触型ＩＤタグを含んでいると共に、該ラック前面に設けたアンテナに患者ＩＤラベルをかざすことにより、患者情報と関連付けた認証により該セキュリティ状態が解除されることを特徴とする医療物品管理ラックシステム。
【請求項３】
請求項１又は２に記載の医療物品管理ラックシステムは、日次処理において、収納部内に現存する物品と、患者情報と共に管理された出庫された物品と、物品マスターとを比較することで紛失分を特定するように構成したことを特徴とする医療物品管理ラックシステム。
【請求項４】
請求項１乃至３いずれかに記載の医療物品管理ラックシステムは、医療物品を返却した後に、該収納部の内壁に設けたアンテナを介して該収納部に収納されている医療物品の情報を読み取り、返却前の医療物品情報と比較することで、返却された物品が該表示手段にタッチパネルとして表示され、該タッチパネルをタッチして返却された物品を再認証するように構成されていることを特徴とする医療物品管理ラックシステム。
【請求項５】
請求項１乃至４いずれかに記載の医療物品管理ラックシステムにおいて、前記収納部の内壁に設けたアンテナは上下動自在であることを特徴とする医療物品管理ラックシステム。
【発明の詳細な説明】
【０００１】
【発明の属する技術分野】
本発明は、医療物品の管理ラックシステムに係り、好ましくは、カテーテルの管理ラックシステムに関するものである。
【０００２】
【従来の技術】
カテーテルは病院において最も頻繁に使用される医療物品の一つであるが、頻繁に使用されるが故に、管理がずさんになってしまうのが実状である。しかしながら、カテーテルは一本が３万円から５万円程度するので、年間ではかなりの金額となる。したがって、カテーテルの入出庫管理をいい加減にすると、病院の経営に影響を与えかねない。
【０００３】
カテーテルは専用のカテーテル収納ケースに保管されるが、従来の収納ケースは、単に内部にカテーテルを吊持させるか、箱に収納されているカテーテルを棚に置いてあるに過ぎず、誰でも自由にカテーテルを持ち出すことができるものであった。また、不意にカテーテルをどこかに置き忘れるということも生じている。したがって、カテーテルの入出庫管理を正確に行うことが難しく、また、紛失事故も頻繁に起きている。
【０００４】
さらに、カテーテルの管理がずさんであると、有効期限切れとなるデットストックの発生、また、カルテへの記載漏れによる保険請求の漏れも生じることになる。また、前述したような問題は、他の医療物品においても起こり得るものである。
【０００５】
また、従来は、カテーテル等の医療物品の病院への納入は、いわゆる販社の担当者が病院に訪問して使用された医療物品を確認して補充したり、あるいは病院側で在庫を管理して使用分を確認して補充するようにしていたため、人件費等のコストが生じていた。
【０００６】
【発明が解決しようとする課題】
本発明は前記不具合を解決するべく創案されたものであって、医療物品、特にカテーテルの管理を、より簡単な方法で、かつ、確実に行うことを目的とするものである。本発明の他の目的は、カテーテルの管理を患者と関連させて行うことにある。さらに、本発明の他の目的は、カテーテル等の医療物品の受発注を省力化することにある。
【０００７】
【課題を解決するための手段】
かかる目的を達成するために本発明が採用した技術手段は、カテーテルを医療物品の一例として説明すると、カテーテルを収納する空間と開閉自在の扉体を有するカテーテル収納部と該空間に面して配設されたアンテナとを備え、該空間に収納された各カテーテルに管理ラベルを貼り付け、該管理ラベルはカテーテルの情報を記憶させた非接触型ＩＤタグ（好ましくはＲＦＩＤタグ）から構成されており、該アンテナは該タグから信号化された情報を受信可能となっており、該扉体は常時はセキュリティ状態にあり、該カテーテルの出庫時に、出庫者がカテーテルが使用される患者情報と関連付けた認証により該セキュリティ状態が解除され、カテーテルを出庫した後に、アンテナを介して収納されているカテーテルの情報を読み取り、出庫前のカテーテル情報（ラックの定数とカテーテルの種類とを記憶した物品マスターを採用することが望ましい）と比較することで、出庫されたカテーテルの情報を患者情報と共に管理することを特徴とするものである。
【０００８】
患者情報と関連付けた認証は、好ましくは、出庫者が患者情報を入力することで発行される患者ＩＤラベルを介して行うように構成される。さらに好ましくは、該患者ＩＤラベルには、患者情報を記憶させた非接触型ＩＤタグ（好ましくはＲＦＩＤタグ）が設けてある。そして管理システムはセンサーを構成するアンテナが設けてあり、該アンテナに患者ＩＤラベルをかざすことにより、セキュリティが解除される。尚、患者情報との関連付けた認証は、カードを挿入したり、あるいは患者ＩＤ等を直接入力することで行ってもよい。
【０００９】
カテーテルの入庫時には、入庫管理者が予め付与されている認証情報を入力することで、セキュリティが解除されるように構成される。尚、患者情報に関連付けてセキュリティを解除してカテーテルを出庫した後に、不使用分を戻す場合は、「入庫時」には含まれず、そのような場合は、出庫時と同じように扱われる。また、本明細書においてセキュリティ状態とは、開閉扉がロックされている状態あるいは認証を得ない者が開放すると警報音が鳴るような状態を意味するが、好ましくは、施錠手段を備えたものがよい。また、出庫された物品情報に基づいて発注情報が自動的に納入業者に送信される。発注情報の送信は、ラック内蔵のコンピュータから直接送信してもよいが、一つの好ましい態様では、ラック内蔵のコンピュータとは別個に設置したサーバを介して送信される。データを直接送信しない理由としては、国の方針によりデータ（金額・請求項目等）の改正が行なわれる為、サーバ（サーバ側では常時情報がアップデイトされている）へ送信されてきた出庫情報を基に情報操作をして即座に医事情報として病院へ送信できるためである。かかる医事情報には、保険請求に必要な金額および分類番号、患者情報（関連付けられている）が含まれる。
【００１０】
好ましくは、本発明で採用される非接触型ＩＤタグは、アンテナからの電波を受信することで、記憶されている情報を信号化して該アンテナに送信するように構成されたＲＦＩＤタグである。このようなタグからの無線周波数を送受信して制御する手段は公知であり、例えば、特表平１０−５１２９９３号、特開平１１−１４４１５６号、特開２０００−２０８３９号等に開示されている。好適には、非接触型ＩＤは、ＩＣチップからなるデータキャリアと、アンテナ（例えば小型のダイポールアンテナ）とからなるＲＦＩＤタグである。このような非接触型ＩＤタグとしては、Ｓ−ラベル（株式会社日本インフォメーションシステム）を用いることができる。Ｓ−ラベルからの無線周波数は、アンテナを介してスキャナーで読み取られ、コンピュータに送られて加工される。もっとも、本発明に採用することができるデータキャリアはＳ−ラベルに限定されるものではなく、データの書き込みができ、アンテナに対して信号化された記憶情報を送信することができ、ある程度の距離を隔ててもアンテナで信号を受信認識できるような非接触型ＩＤタグであり、かつ同時に複数のタグからの情報を識別できるものであればよい。非接触型ＩＤタグについては、前述した公報の他に、例えば、特開平１０−２６９２８７号、特開２０００−１１８６３３号、特開２０００−１３６４０７号、特開２０００−２５９９４７号、特開２０００−２７２７２３号等にも開示されている。本発明においては、非接触型ＩＤタグはアンテナとの間で電波を送受信し、該アンテナから電波を受信することで、記憶されている情報を信号化して該アンテナに送信するように構成するものが好ましいが、電源を内蔵した非接触型ＩＤを排除するものではない。また、非接触型ＩＤタグの形状は限定されず、ラベル状のものでも、あるいはタグ自体がカードを構成していてもよい。
【００１１】
【発明の実施の形態】
［システムの全体構成］
本発明に係るカテーテル管理ラックシステムは、全体として直方体状の本体を有しており、本体はカテーテルの収納部１を有すると共に、コンピュータ装置等が組み込まれている処理制御部２を有している。図示のものでは、本体の左右方向中央部位に処理制御部２が設けてあり、その左右にそれぞれカテーテル収納部１が形成されている。カテーテル収納部１は、左右、前後、上下の内壁で囲繞された空間であり、長尺状に延出するカテーテルを吊持させる複数のハンガー（図示せず）および巻回されて箱に収納されたカテーテルを載置する棚部（図示せず）とが設けてある。
【００１２】
カテーテル収納部１には内部空間へのアクセスを可能とする開閉扉３が設けてあり、開閉扉３は、回動式、引戸式、シャッター等いずれの形態でもよい。開閉扉３は常時はロック状態にあり、認証を得ていない者が開放しようとしても開かないようになっている。尚、図示のものでは、左側の収納部１の開閉扉は省略して示している。
【００１３】
収納部１の処理制御部２に近接する内壁には、アンテナ４が設けてあり、アンテナ４はスキャナーを介してコンピュータと電気的に連結されている。アンテナ４、スキャナーは、タグリーダあるいは読み取り装置として機能する。処理制御部２を構成するコンピュータは、中央演算処理装置（ＣＰＵ）、キーボード６（出し入れ自在が望ましい）、タッチパネル等の入力装置、入力データ、出力データ、処理後データ等を表示するディスプレイ５等の表示装置、各種データを格納する記憶装置、モデム、ターミナルアダプタあるいはルータ、各種Ｉ／Ｏインターフェース、その他一般のコンピュータ装置が備える構成要素を有している。処理制御部２には、所定情報をラベルに書き込んで情報が記憶されたラベルを発行するためのラベル発行機７と、センサーを構成するアンテナ８（アンテナ４と基本的には同じ構成を有する）とを含んでおり、ラベル発行機７、アンテナ８はそれぞれコンピュータに電気的に連結されている。図４はアンテナ４の他の実施形態を示しており、このものでは、側壁に設けたアンテナ４が上下に移動自在に構成されており、その他の構成は図１のものと実質的に同じである。アンテナ４を上下動自在とする構成は、例えば、側壁に上下方向に延出するガイド部を設け、該アンテナ４をガイド部に沿って移動自在とし、かつ、ドアを閉鎖した時に予め設定された所定時間だけアンテナが上下に一往復するようにする。アンテナを上下動自在とすることで、内部のデッドポイントの削減およびアンテナの数の削減（コスト削減）が可能となる。
【００１４】
［物品マスターファイル］
ラックにおいて、収納部１に格納するカテーテルの数（定数）とカテーテルの種類が予め決定されており、カテーテルの定数及び種類が物品マスターファイルとしてコンピュータに記憶されている。後述するように、物品マスターファイルは、例えば、最初の入庫処理時に同時に作成される。
【００１５】
［カテーテル管理ラベル］
カテーテル管理ラベルはシール状のラベルであり、非接触型ＩＤタグとして例示するＳ−ラベルが組み込まれている。Ｓ−ラベルには、商品を特定する情報（商品名、商品コード等）、保険請求の有無の情報、有効期限情報が記憶されている。有効期限については、ＥＡＮコードにより確認してもよい。カテーテル管理ラベルは、ラックの収納部１に格納される全てのカテーテルに貼り付けられる。
【００１６】
［カテーテル管理ラベルの発行］
カテーテル管理ラベルは、コンピュータと連結されたラベル発行機７から発行される。在庫処理（最初の入庫処理）において、物品情報（商品名、商品コード、有効期限等）及び定数（ラックに格納されるカテーテルの定数）を入力すると、ラベル発行機７から在庫分のカテーテル管理ラベルが発行される。カテーテル管理ラベルは、物品マスターファイルにある物品情報から物品名、物品コード、有効期限をピックアップし、かかる情報をＳラベルに書き込んで記憶させることで発行する。
【００１７】
［患者ＩＤラベル］
患者ＩＤラベルはシール状のラベルであり、非接触式ＩＤタグとして例示するＳ−ラベルが組み込まれている。患者ＩＤラベルには、患者ＩＤ、氏名、診療科の情報が記憶されている。
【００１８】
［患者ＩＤラベルの発行］
患者ＩＤラベルは、当日予定されている検査の患者情報、具体的には患者ＩＤ、患者氏名、診療科を入力することでラベル発行機から発行される。患者情報の入力は、一つの好ましい態様では、患者情報を磁気的に記憶させた患者カードをカードリーダから読み取ることで行なう。
【００１９】
［非接触型ＩＤ（識別）タグ］
本発明で用いる非接触型識別データキャリアについて説明する。実施の形態で用いたデータキャリアは、日本インフォメーションシステムズ社から市販されている米国シングルチップシステムズ（ＳＣＳ）社のＳ―ラベルである。Ｓ―ラベルは、情報を記憶保持するＩＣチップと、小型のダイポールアンテナを備えており、ＲＦＩＤ（Ｒａｉｄｏ  Ｆｒｅｑｕｅｎｃｙ  Ｉｄｅｎｔｉｆｉｃａｔｉｏｎ）という無線技術を用いることで情報を識別する。Ｓ−ラベルは送受信アンテナからの電波を受信し、受信した電波を電力として記憶された情報を信号化してアンテナに送信するように構成されており、該情報はアンテナを介してスキャナーによって読み取られてコンピュータに送られて処理される。
【００２０】
［開閉扉のセキュリティ手段］
開閉扉は常時は施錠された状態であり、勝手に開放することができないようになっている。開閉扉は入庫時と出庫時において、認証を得ることによって開放される。入庫時には、予め付与されたパスワードや指紋等の認証情報を入力することで、入力された認証情報が正しい場合には、開閉扉の施錠を解放する制御信号を出力して、扉の施錠が解錠される。出庫時には、患者情報を入力することで、患者ＩＤラベルを発行し、該患者ＩＤラベルの情報と既に入力された患者情報とが合致した時に、開閉扉の施錠を解放する制御信号を出力して、扉の施錠が解錠される。また、入庫後に、ラック内のカテーテル現物が読み取られ物品マスターと相違がある場合には、警告（例えば警告音）が発生するように構成されている。
【００２１】
［在庫処理（最初の入庫処理）］
ラックに組み込まれたＰＣの管理権限者には、指紋やパスワード等で認証を与える。在庫処理においては、キーボード６から物品情報や定数を入力することで、ラックに搭載したラベル発行機７から在庫分のカテーテル管理ラベルを発行する。カテーテル管理ラベルを全てのカテーテルにひとつずつ添付させて、ラックの収納部１に収納する。ラックに格納するカテーテルの定数の変更あるいはカテーテルの種類が変更となった場合にも、同様の作業を行う。
【００２２】
［出庫処理］
当日予定されている検査の患者情報をキーボード６等の入力手段から入力すると、ラベル発行機７から患者ＩＤラベルが発行される。出庫処理の時は、患者ＩＤラベルをセンサー８に近づけることで、出庫者が認証を得るようになっており、患者ＩＤラベルで認証を得ると、施錠あるいは警報音待機状態が解除される。認証を得ていない者が開閉扉を開こうとすると、施錠状態で解除されないか、あるいは警報音が鳴るようになっている。ラックからカテーテル（複数取り出しても良い）を取り出して、開閉扉を閉める（例えば、閉鎖状態において、アンテナから電波が送信されるように構成する）と現物と物品マスターとが照合され、出庫分が表示画面に表示される。表示されたカテーテルをタッチパネルで一点ずつ確認し、再度、患者ＩＤラベルをセンサー８で読み取らせて再認証を得た時点で一連の動作を終了したものと判断する。こうすることで、例えば、３つ出庫した際に、誰かが一つを持って行ってしまったような場合には、画面に表示された三つのカテーテルの情報を示すタッチパネルにおいて、二つのみをタッチして、再認証を得る。一つが紛失分として処理される。戻り物品についても同様の処理を行う。
【００２３】
［使用カテーテルの確認］
当日の日次処理を行うと、ラックの収納部１に格納されているカテーテル総数と、使用総数（患者情報と共に管理されている）と、物品マスターを照合することで紛失等について検査する。また、カテーテルの発注（使用分に対応）及び正確な患者毎の使用情報をフラッシュメモリカードに記憶させる。同時にカテーテル管理ラベル（有効期限についてはＥＡＮコードの情報をＳ−ラベルとして管理してもよい）により有効期限切れを確認する。具体的には、例えば、表示部に有効期限切れのカテーテルを表示させる。
【００２４】
［入庫処理］
入庫処理では、入庫できる分（定数と現在の在庫数との差）をタッチパネルで確認すると、カテーテル管理ラベルが発行され、発行されたラベルを入庫するカテーテルに添付して、開閉扉３の施錠が解除されているラックの収納部１に収納する。ラックを閉めた時点で、入庫が誤っていると警報音が発せられる。ラベルの貼り忘れ、カテーテルの入れ忘れ等を防止するためである。一日の終わりに入庫処理を行うことで、翌日は、在庫数と物品マスターとが合致した状態から管理をスタートすることができる。尚、補充入庫が間に合わないような場合は、物品マスターより少ない在庫数でスタートしなければならない場合もあり得る。この場合は、その日中に補充入庫が行われなければ、実際の在庫とその日の最後の在庫を比較することで出庫物品を特定する。
【００２５】
［処理の流れ］
入庫処理時におけるシステムの流れを図２に示すブロック図に基づいて説明する。入庫処理時に、パスワード等の認証情報をキーボード６から入力すると、コンピュータへのアクセスが可能となると共に、開閉扉３のロックが解除される。入庫するカテーテルの個数と種類とをキーボード６から入力すると、入庫するカテーテルの情報を記憶したカテーテル管理ラベルがラベル発行機７から発行される。該管理ラベルを対応するカテーテルに添付し、ロックが解除された開閉扉３を開放してカテーテルを格納する。開閉扉３を閉鎖すると、アンテナ４から電波が送信されると共に、ラックの収納部１内のカテーテルに添付された管理ラベルからの信号をアンテナ４が受信する。コンピュータの記憶部に記憶された物品マスター情報とラックの収納部１内のカテーテル（現物）とが照合され、相違がある場合には、警報音が発生する。
【００２６】
出庫時について図３に基づいて説明する。先ず、キーボード６あるいは読取装置によって患者情報を入力すると、入力患者情報はコンピュータの記憶部に記憶されると共に、該情報を記憶した患者ＩＤラベルがラベル発行機７から発行される。患者ＩＤラベルをラック前面に設けたアンテナ（センサー）８に近づけると、患者ＩＤラベルに記憶された情報が読み取られ（センサー８からは患者ＩＤラベルに搭載されたＲＦＩＤタグに電力を供給するための電波が常時出ている）、コンピュータの記憶部に記憶された患者情報と照合されて、開閉扉のロックが解放される。そして、解錠された開閉扉３を開放して一つあるいは複数のカテーテルを取り出す。扉３を閉めると、アンテナ８から電波が送信され、現物と物品マスターとを照合することで、出庫分がコンピュータの画面に表示される。表示された使用物品をタッチパネルで一点づつ確認して、再度認証を得たうえで、一連の動作を完了したものとする。
【００２７】
本発明の一つの実施形態に係る管理システムの流れについて図５を適宜参照しながら説明する。
［管理システムの立ち上げ］
カテーテルラックの電源を入れると、管理権限者パスワード入力画面が表示される（図５▲１▼）。管理権限者（例えば婦長）がキーボード等の入力手段を用いてパスワードを入力すると、図５▲２▼に示す画面が表示される。図５▲２▼においては、情報入力、日次処理、診察出庫の三つのボタンが表示される。これらのボタンは好ましくはタッチパネルとなっており、指を触れることで選択可能となっている。ラックの開閉のセキュリティの掛け方は限定されず、例えば、管理権限者パスワードを入力することでセキュリティを解除し、情報入力ボタン、日次処理ボタンを選択した場合には、セキュリティの解除が維持されてカテーテルの入庫が可能であり、診察出庫ボタンを選択するとセキュリティが入り、患者ラベルによる認証によって該セキュリティを解除するように構成される。あるいは、管理権限者パスワードを入力した次の画面で、情報入力ボタン、あるいは日次処理ボタンを選択した場合にセキュリティが解除されるように構成し、診察出庫ボタンを選択した場合にはセキュリティは解除されず、患者ラベルによる認証によって該セキュリティを解除するように構成してもよい。あるいは他の方法によるセキュリティでもよい。
【００２８】
［マスターファイルの作成及びカテーテルの入庫］
情報入力ボタンをタッチすると、物品情報と定数の入力画面（図示せず）が表示され、物品情報及び定数を入力することで、マスターファイルが作成され、各物品に対応する管理ラベルが発行される。管理ラベルを対応する各物品に貼り付けて、ラック内に入庫する。
【００２９】
［カテーテルの出庫］
図５▲２▼の画面において、診察出庫ボタンを選択すると、図５▲３▼に示すように、「診察カードを通して下さい。患者ラベルを発行します。」という表示が行なわれる。カテーテルラックにはキーボードに近接してスライド式の磁気カード読取装置が設けてあり、磁気カードから構成される患者カードを読取装置にスライドさせることで、患者カードに記憶されている患者情報を読み取る。そして、読み取られた患者情報に基づいて患者ラベルが発行される。患者情報を記憶した磁気患者カードは病院において一般に使用されている。発行された患者ラベルをセンサに近づけることで、図５▲４▼に示す画面が表示される。図５▲４▼において、患者名は患者ラベルからの情報によって自動的に表示される。スタッフ欄に担当者の名前を入力すると、セキュリティが解除され、ラックの開閉が可能となる。図５▲４▼の画面が表示されたら、カテーテルを取り出す場合には取り出しボタンを、カテーテルを返却する場合には戻しボタンをタッチパネルによってそれぞれ選択する。
【００３０】
出庫の場合は、取り出しを選択し、ラックからカテーテルを取り出し、ドアを閉めると、ドアの閉鎖によってアンテナから電波が送信されラック内のカテーテルの情報が読み取られる。読み取られた情報と当該患者ラベルを用いて出庫する前のラック内のカテーテルの情報とを比較することで、当該患者ラベルに基づいて出庫されたカテーテルが、患者名と共に表示される。出庫物品はタッチパネルとなっており、表示された物品をタッチパネルで一点ずつ確認して、再度認証を取得する。認証を得た後に診察ボタンを選択すると、図５▲３▼の画面に戻り、新規患者であれば、患者カードを通して患者ラベルを発行し、既に患者ラベルが発行されている患者であれば、アンテナに患者ラベルをかざすことで図５▲４▼の画面が表示される。その日の最後の診察出庫の場合には、完了ボタンを選択すると、図５▲１▼の画面に戻る。
【００３１】
［カテーテルの戻り］
戻り物品がある場合には患者ラベルをセンサにかざしてセキュリティを解除する。すなわち、図５▲４▼の画面に戻り、スタッフ名を入力して戻しボタンを選択する。ラックに戻した物品、あるいは再度取り出した物品がドアの開閉後画面に表示される。同様に、タッチパネルで一点ずつ確認し、再度認証を取得して動作が完了する。
【００３２】
［日次処理］
図５▲６▼の画面で完了ボタンを選択すると、図５▲１▼の画面となり、管理権限者がパスワードを入力すると図５▲２▼の画面が表示され、図５▲２▼の画面においては、日次処理を選択する。日次処理で症例毎（患者毎）の使用確認および不正処理を確認する（図５(10)、）。図５▲２▼の画面において、日次処理ボタンを選択すると、図５(10)の画面が表示される。画面は患者毎（症例毎）に表示される。画面においては、スタッフ名、患者名、取出し物品、戻し物品、不正処理の欄があり、スタッフ名、患者名、取出し物品が自動的に表示され、戻し物品がある場合にも表示され、また、いずれにも該当しない物品がある場合には不正処理に表示される。図５(10)の画面には情報送信ボタンがあり、情報送信ボタンをクリックすることで、患者毎の使用物品の情報がサーバに送信される。また、これらの情報は患者毎にサーバに送信してもよいが、好ましくは、情報送信ボタンにより一括してデータが送信されるのがよい。使用物品の情報が患者と関連付けられてサーバに送信され、サーバではその日全体での使用物品の情報を集計して、発注情報として販社のコンピュータへと送信する。カテーテルラック側のコンピュータとサーバとは、情報が送受信できるように電気的に接続されていればよく、電話回線、インターネット、専用ネットワーク、無線等の手段を問わない。
【００３３】
その日に使用された物品の情報が全て送信されると、図５(13)の画面が表示される。画面では、入庫できる物品が一覧表示され、同時に管理ラベルに載っているＥＡＮコードで有効期限切れをチェックして画面に表示する。日々の処理後の入庫処理では入庫できる分の物品をタッチパネルで一点ずつ確認する（図５(13)）。タッチパネルで確認した分に対応して管理ラベルが発行される。解除されたラックへ検品（物品への管理ラベル貼り付け）して入庫する。ドアが閉まった時点で入庫（期限切れ除去を含む）が誤っていると画面表示で警告する。
【００３４】
［緊急時］
緊急時（例えば夜間時に管理権限者が不在の場合）は、図５▲１▼の画面において緊急ボタンを選択すると図５(16)の画面が表示される。図５(16)の画面において使用者名（例えば担当医師）・患者名を入力するとセキュリティが解除され、ラックの開閉が可能となる。物品を取り出しドアが閉まると動作完了し、翌日、管理権限者が日次処理で確認作業を行う。
【００３５】
図６は、管理システムの一つの実施形態を示す概略図である。出庫された医療物品の情報は患者情報と関連付けられて、病院９のカテーテルラックに内蔵されたコンピュータ１０から専用電話回線を介してサーバ１１に送信される。サーバ１１を構成するコンピュータは、中央演算処理装置（ＣＰＵ）、各種データを格納する記憶装置、キーボード、入力装置、表示装置、モデム、ターミナルアダプタあるいはルータ、各種Ｉ／Ｏインターフェース、その他一般のコンピュータ装置が備える構成要素を有している。記憶装置には、特に保険請求に必要な情報、金額、分類番号等が記憶されている。サーバ１１では、出庫された医療物品の情報が集計され、さらに、出庫情報は発注情報として、専用電話回線を介してサーバ１１から販売店１２のコンピュータへと送信される。販売店１２は発注情報にしたがってメーカー１３からカテーテルを取り寄せ、納入したカテーテルを病院９に納入する。このように受発注が出庫に応じて自動化されるので、販売店の担当者は都度病院に出向いて在庫を確認する必要がなく、病院も必要最低限の在庫で運営することができる。サーバの設置場所は限定されず、院内でも院外でもよいが、院内の管理コスト削減の観点からは、院外に設置することが好ましい。
【００３６】
サーバには、医療資材、処方情報等が格納されていると共に、出庫情報及び医事情報は患者情報と関連付けられて所定の情報処理を経て院内のコンピュータ（ラック内蔵のコンピュータあるいは他のコンピュータ）へと送信される。このようなビジネスモデルによれば、病院９にとっては、サーバ１１が各販社への発注を代行し、必要最低限の在庫で運営することができ、使用物品の情報が医事情報としてサーバから返される。したがって、病院９において管理コストや人件費を削減することができる。サーバ１１の管理者に対しては、病院９から管理委託業務に係る対価が支払われる。メーカー１３にとっては、カテーテルの既存の流通経路が維持される。販社１２にとっては、メーカー１３、病院９への流通経路は維持されるものでありながら、受発注の自動化により病院への訪問が減り人件費等のコストを削減することができる。
【００３７】
【発明の効果】
以上のように、本発明によれば、医療物品、特にカテーテルの管理を、より簡単な方法で、しかも患者と関連させて行うことができる。
【図面の簡単な説明】
【図１】本発明に係るラックシステムの概略全体斜視図である。
【図２】 入庫処理時の流れを示すブロック図である。
【図３】出庫処理時の流れを示すブロック図である。
【図４】他の実施形態に係るアンテナを示すラックシステムの概略図である。
【図５】ラックシステム内蔵コンピュータの表示画面を例示する図である。
【図６】カテーテルの発注を図示する全体システム図である。
【図１】
0004205875.tif 000002
【図２】
0004205875.tif 000003
【図３】
0004205875.tif 000004
【図４】
0004205875.tif 000005
【図５】
0004205875.tif 000006
【図６】
0004205875.tif 000007